(57)【要約】【課題】  一つで異なる悪臭に対して脱臭できる空気清浄具を提供する。【解決手段】  天然綿やパルプ等の繊維素系物質成型部材と３価鉄イオンとの錯体よりなる固形の酸化分解系脱臭用材と、汚染物質をえさとして化学物質臭を分解する微生物を含浸させた固形のバイオ系脱臭用材と、前記各脱臭用材を収納する通気性を有する収納体とより構成される。【選択図】  図１
2005144107.tif 000002
【特許請求の範囲】
【請求項１】
固形の酸化触媒よりなる酸化分解系脱臭用材と、汚染物質をえさとして化学物質臭を分解する微生物を含浸させた固形のバイオ系脱臭用材と、前記各脱臭用材を収納する通気性を有する収納体とよりなることを特徴とする空気清浄具。
【請求項２】
ヤシガラ活性炭やセラミック活性炭等の活性炭利用の活性炭系脱臭用材を具備したことを特徴とする請求項１記載の空気清浄具。
【請求項３】
収納体内に、活性炭系脱臭用材を収納した通気性を有する補助収納体を中央部付近に配置するとともに、補助収納体外部を酸化分解系脱臭用材とバイオ系脱臭用材で覆うように配置されたものであることを特徴とする請求項２記載の空気清浄具。
【発明の詳細な説明】
【技術分野】
【０００１】  この発明は、一つで異なる悪臭に対して脱臭できる空気清浄具に関するものである。
【背景技術】
【０００２】  従来、脱臭手法としては、活性炭等の吸着を利用する吸着系のもの、化学物質を分解するヤシガラ活性炭やセラミック活性炭等の各種活性炭を利用したバイオ系のもの、臭気成分を空気中の酸素により酸化分解する酸化分解系のものがそれぞれにあり、これをそのままの状態あるいは任意の収納体に入れて使用していた。
【特許文献１】  特公平３−３４３９
【発明の開示】
【発明が解決しようとする課題】
【０００３】  吸着系、バイオ系、酸化分解系の各脱臭用材は、それぞれに脱臭対象臭気が異なり、使用環境に応じて効果が大きく変動していた。
これらの３つの脱臭系を一つの物質とすることは不可能であった。吸着系である活性炭に微生物を定着させることは可能であるが、この際、孔が微生物の定着により塞がれたり、面積が減少されるため、活性炭本来の吸着効果を弱めていた。
本発明はこれらの問題点を解決するためになされたものである。
【課題を解決するための手段】
【０００４】  天然綿やパルプ等の繊維素系物質成型部材と３価鉄イオンとの錯体よりなる固形の酸化触媒よりなる酸化分解系脱臭用材と、汚染物質をえさとして化学物質臭を分解する微生物を含浸させた固形のバイオ系脱臭用材と、前記各脱臭用材を収納する通気性を有する収納体とよりなる。
また、ヤシガラ活性炭やセラミック活性炭等の活性炭利用の活性炭系脱臭用材を具備させる。
【発明の効果】
【０００５】  本発明において、アンモニア、トリメチルアミン、硫化水素等の自然界の腐敗臭に対する脱臭効率の高い固形の酸化分解系脱臭用材と、酸化分解系脱臭用材では脱臭効率のわるかった化学物質臭を分解する微生物を含浸させた固形のバイオ系脱臭用材を同時に活用することにより、自然臭系、化学物質系の様々な悪臭を同時に効率的に脱臭することが可能となり、また、煙草、花粉なども吸着することができるので、一つの空気清浄具で悪臭の異なるより多くの場所での利用が可能となった。【０００６】  また、化学物質系悪臭の脱臭効率の高いヤシガラ活性炭やセラミック活性炭等の活性炭系脱臭用材を具備させることで、上記構成でも脱臭効率の低かったダイオキシンやホルムアルデヒド、トルエン、ＣＯ２等のその他化学系悪臭を強力に脱臭するので、より広範囲に高脱臭率で脱臭することが可能となった。【０００７】  また、活性炭系脱臭用材を収納した通気性を有する補助収納体を中央部付近に配置するとともに、補助収納体外部を酸化分解系脱臭用材とバイオ系脱臭用材で覆うように配置することにより、寿命の短い活性炭系脱臭用材の効力を持続させることが可能となった。
【発明の実施の最良の形態】
【０００８】  以下、本発明の第１実施の形態を説明する。
図１は本発明の第１実施形態の断面図である。
本発明は、通気性を有するとともに、内部に収納した各脱臭用材がこぼれない目よりなる収納体１と、収納体１の内部に設けられた複数の固形の酸化触媒よりなる酸化分解系脱臭用材２と、複数の固形のバイオ系脱臭用材３より構成される。
酸化触媒よりなる酸化分解系脱臭用材２としては、天然綿やパルプ等の繊維素系物質成型部材と３価鉄イオンとの錯体よりなるもの、オレフィン系のものなど、空気浄化効力を有するものが各種あげられる。
固形のバイオ系脱臭用材３としては、ミネラル炭などの微生物を定着させたものなどがあげられる。微生物としては、悪臭のもととなる各悪臭要素を分解するが各種利用でき、それらを複数種利用目的に応じて選択したものを定着させている。
この酸化分解系脱臭用材２とバイオ系脱臭用材３を混合した状態で収納している。
天然綿やパルプ等の繊維素系物質成型部材と３価鉄イオンとの錯体よりなる酸化分解系脱臭用材２と、固形のバイオ系脱臭用材３を利用した場合の混合比例としては、以下の範囲内で高脱臭効果を得ることができた。
酸化分解系脱臭用材  ４０％〜６０％
バイオ系脱臭用材      ４０％〜６０％
本発明により、アンモニア、トリメチルアミン、硫化水素等の自然界の腐敗臭に対する脱臭効率の高い固形の酸化分解系脱臭用材と、酸化分解系脱臭用材では脱臭効率のわるかった化学物質臭を分解する微生物を含浸させた固形のバイオ系脱臭用材を同時に活用することにより、自然臭系、化学物質系の様々な悪臭を同時に効率的に脱臭することが可能となり、また、煙草、花粉なども吸着することができるので、一つの空気清浄具で悪臭の異なるより多くの場所での利用が可能となった。
【０００９】  以下、本発明の第２実施の形態を説明する。
図２は本発明の第２実施形態の断面図である。
本実施形態においては、ヤシガラ活性炭やセラミック活性炭等の活性炭利用の活性炭系脱臭用材を具備したものである。活性炭系脱臭用材は、ダイオキシンやホルムアルデヒド、トルエン、ＣＯ２等のその他化学系悪臭を強力に脱臭するので、より広い用途に利用することができる。
混合比としては、セラミック活性炭５を使用した事例にて説明する。
酸化分解系脱臭用材  ３０％〜５０％
バイオ系脱臭用材    ２０％〜４０％
セラミック活性炭    ２０％〜４０％
これは、酸化分解系脱臭用材、バイオ系脱臭用材で６０％〜８０％とし、ヤシガラ活性炭やセラミック活性炭等の活性炭利用の活性炭系脱臭用材で補足したものである。
この際、各脱臭用材を混合することで、吸着、分解等の脱臭効果を分散することで、効果継続期間を延ばすことが可能となった。
【００１０】  以下、本発明の第３実施の形態を説明する。
図３は本発明の第３実施形態の断面図である。
本実施形態においては、酸化分解系脱臭用材２とバイオ系脱臭用材３、ヤシガラ活性炭４、セラミック活性炭５を混合したものである。更に、吸着効果が高く、継続性が短いセラミック活性炭５を補助収納体６に収納したうえで、他の脱臭材で多くようになっている。これにより、セラミック活性炭の吸着力を維持したまま、効率的にかつ長時間の利用を可能としている。
混合比としての事例を以下に説明する。
酸化分解系脱臭用材  ２５％〜４５％
バイオ系脱臭用材    ２０％〜３０％
ヤシガラ活性炭      １５％〜２５％
セラミック活性炭    １５％〜２５％
これは、酸化分解系脱臭用材、バイオ系脱臭用材ほぼ半分以上にし、ヤシガラ活性炭やセラミック活性炭等の活性炭利用の活性炭系脱臭用材で３割から５割にしたものである。
以上、具体的な事例を説明したが、各脱臭剤の材料としては、これに限定されるものではない。
【図面の簡単な説明】
【００１１】
【図１】  本発明の第１実施形態の断面図
【図２】  本発明の第２実施形態の断面図
【図３】  本発明の第３実施形態の断面図
【符号の説明】
【００１２】１  収納体
２  酸化分解系脱臭用材
３  バイオ系脱臭用材
４  ヤシガラ活性炭
５  セラミック活性炭
６  補助収納体
【図１】
2005144107.tif 000003
【図２】
2005144107.tif 000004
【図３】
2005144107.tif 000005